(57)【要約】【課題】基板に対する電子部品の実装効率を低下させることなく、放熱部材をその高さ制限を緩和させて簡便に取り付ける。【解決手段】基板３の上面に実装される電子部品２からの発熱を放熱部材６により放熱する電子部品の放熱構造７０であって、基板３は、実装される電子部品２の放熱用端子２３よりも外側に放熱部材６を取り付けるための二つの放熱部材取付用孔部３１を備え、放熱部材６は、基板３の下面側に設けられる主放熱面部６１と、放熱部材取付用孔部３１の各々に下面側から挿通される二つの脚部６２とを備え、これら脚部６２の各々は、他の脚部６２側に突出して各脚部６２に一体となって成形され、放熱用端子２３を係止する係止部６２ａを備え、係止部６２ａは、半田Ｂを介して放熱用端子２３と接続固定されている。【選択図】図２
2006216638.tif 000002
【特許請求の範囲】
【請求項１】
基板の一面に実装される電子部品から発せられる熱を放熱部材により放熱するための電子部品の放熱構造であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して各脚部に一体となって成形され、前記放熱用端子を係止する係止部を備え、
前記係止部は、半田を介して前記放熱用端子と接続固定されていることを特徴とする電子部品の放熱構造。
【請求項２】
基板の一面に実装される電子部品から発せられる熱を放熱部材により放熱するための電子部品の放熱構造であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して形成され、前記放熱用端子を係止する係止部を備え、
前記係止部は、半田を介して前記放熱用端子と接続固定されていることを特徴とする電子部品の放熱構造。
【請求項３】
前記係止部は、前記脚部に一体となって成形されていることを特徴とする請求項２に記載の電子部品の放熱構造。
【請求項４】
基板の一面に実装される電子部品から発せられる熱を放熱部材により放熱するための電子部品の放熱構造を備える電子機器であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して形成され、前記放熱用端子を係止する係止部を備え、
前記係止部は、半田を介して前記放熱用端子と接続固定されていることを特徴とする電子機器。
【発明の詳細な説明】
【技術分野】
【０００１】
本発明は、基板表面に実装される電子部品の放熱構造及び電子機器に関する。
【背景技術】
【０００２】
従来、テレビジョン受信器、ＤＶＤプレーヤ等の各種の電子機器には、所定の電子部品が実装された各種の基板が配設され、当該基板に電子部品から発せられる熱を放熱するための放熱部材が取り付けられたものもある（例えば、特許文献１及び特許文献２参照。）。
【０００３】
ここで、電子部品の放熱構造として、基板の電子部品が実装される一面と反対側の面に放熱部材を設けたものが知られている（例えば、特許文献３及び特許文献４参照。）。具体的には、特許文献３等の場合、基板に実装された電子部品の表面を放熱シートで覆って、当該放熱シートを介して放熱板が接続された構成であり、特許文献４等の場合、基板の電子部品が実装される箇所に貫通孔を形成し、当該貫通孔に先端部を挿通させて当該先端部を電子部品の裏面に当接させるようにして放熱部材が接続された構成となっている。
【０００４】
また、基板に対する放熱板の取付構造として、基板の貫通孔に挿通される放熱板の脚部に当該放熱板の抜け止め用にスナップ部を形成したものも提案されている（例えば、特許文献５参照。）。
【特許文献１】特開平８−２０４３７１号公報
【特許文献２】特開２００３−３１８５８０号公報
【特許文献３】特開２００１−２５７４９０号公報
【特許文献４】特開平１０−３２２０６５号公報
【特許文献５】実用新案登録第３０４８７５７号公報
【発明の開示】
【発明が解決しようとする課題】
【０００５】
ところで、上記特許文献１及び特許文献２等のように、基板の電子部品が実装された一面と同じ面に放熱部材を設ける構成とすると、基板の一面上における他の電子部品が実装されるスペースが少なくなって、基板に対する電子部品の実装効率が低下してしまうといった問題がある。特に、電子機器のコンパクト化が切望される状況下にあっては、基板の実装効率をより向上させる必要があるため、基板の電子部品の実装面と同じ面に放熱部材を配設することは好ましくない。
【０００６】
そこで、特許文献３や特許文献４等にように、基板の電子部品の実装面と反対側の面に放熱部材を設ける構成が考えられるが、これらの場合には、電子部品の取り付けと基板に対する放熱部材の取り付けとを同じ工程で一度に行うことができないといった問題がある。即ち、特許文献３等の場合、基板に電子部品を実装した後、放熱シートと放熱部材とを所定の固定ねじを用いて接続する必要があり、また、特許文献４等の場合、基板に電子部品を取り付けた後に、当該電子部品に対応する所定の放熱部材を配設する必要がある。
【０００７】
なお、特許文献５等のように、放熱板を基板に対して略垂直に配設する構成とすると、当該放熱板の高さ方向に余裕が必要となり、その余裕が十分にない場合には、放熱板の面積の十分な確保が困難となって、当該放熱板としての機能が低下してしまうといった問題もある。
【０００８】
そこで、本発明の課題は、基板に対する電子部品の実装効率を低下させることなく、放熱部材をその高さ制限を緩和させて簡便に取り付けることができる電子部品の放熱構造及びこれを備えた電子機器を提供することである。
【課題を解決するための手段】
【０００９】
上記課題を解決するため、請求項１に記載の発明は、
基板の一面に実装される電子部品から発せられる熱を放熱部材により放熱するための電子部品の放熱構造であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して各脚部に一体となって成形され、前記放熱用端子を係止する係止部を備え、
前記係止部は、半田を介して前記放熱用端子と接続固定されていることを特徴としている。
【００１０】
請求項２に記載の発明は、
基板の一面に実装される電子部品から発せられる熱を放熱部材により放熱するための電子部品の放熱構造であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して形成され、前記放熱用端子を係止する係止部を備え、
前記係止部は、半田を介して前記放熱用端子と接続固定されていることを特徴としている。
【００１１】
請求項３に記載の発明は、請求項２に記載の電子部品の放熱構造において、
前記係止部は、前記脚部に一体となって成形されていることを特徴としている。
【００１２】
請求項４に記載の発明は、
基板の一面に実装される電子部品から発せられる熱を放熱部材により放熱するための電子部品の放熱構造を備える電子機器であって、
前記電子部品は、その電子部品本体を挟むように当該電子部品本体から側方に少なくとも二つ延設された放熱用端子を備え、
前記基板は、実装される前記電子部品の前記放熱用端子よりも外側に当該基板を貫通して形成され、前記放熱部材を取り付けるための少なくとも二つの放熱部材取付用孔部を備え、
前記放熱部材は、
前記基板の前記電子部品が実装される一面と反対となる反対面側に設けられる主放熱部と、前記主放熱部の一部から延設され、前記放熱部材取付用孔部の各々に前記反対面側から挿通される少なくとも二つの脚部とを備え、これら脚部の各々は、他の脚部側に突出して形成され、前記放熱用端子を係止する係止部を備え、
前記係止部は、半田を介して前記放熱用端子と接続固定されていることを特徴としてい
る。
【発明の効果】
【００１３】
請求項１に記載の発明によれば、基板の一面に実装される電子部品の放熱構造であって、基板には、電子部品の放熱用端子よりも外側に放熱部材を取り付けるための少なくとも二つの放熱部材取付用孔部が備えられ、放熱部材は、放熱部材取付用孔部の各々に基板の電子部品が実装される一面と反対となる反対面側から少なくとも二つの脚部が挿通され、これら脚部の各々には、他の脚部側に突出して各脚部に一体となって形成され、電子部品の放熱用端子に接触して当該放熱用端子を係止する係止部が備えられている。
【００１４】
即ち、放熱部材の脚部を放熱部材取付用孔部の各々に基板の反対面側から挿通させることにより、脚部の係止部を放熱用端子に係止させて当該放熱部材を簡便に取り付けることができる。このとき、放熱部材の主放熱部は、基板の電子部品が実装される一面と反対となる反対面側に設けられることとなるので、当該基板の実装面に対する電子部品の実装効率を低下させることがなくなり、さらに、主放熱部は電子部品の実装が行われない基板の反対面側にて電子部品の実装効率低下等を考慮することなく十分に広い面積を確保することができる。従って、基板の実装面側に突出される脚部の長さを電子部品からの発熱の放熱用に長くする必要がなく、少なくとも放熱用端子の係止に必要な長さとすることができる。
【００１５】
このように、基板に対する電子部品の実装効率を低下させることなく、放熱部材をその高さ制限を緩和させて簡便に取り付けることができる。
【００１６】
また、係止部は、各脚部に一体となって成形されているので、係止部を脚部とともに簡便に形成することができる。
【００１７】
請求項２に記載の発明によれば、基板の一面に実装される電子部品の放熱構造であって、基板には、電子部品の放熱用端子よりも外側に放熱部材を取り付けるための少なくとも二つの放熱部材取付用孔部が備えられ、放熱部材は、放熱部材取付用孔部の各々に基板の電子部品が実装される一面と反対となる反対面側から少なくとも二つの脚部が挿通され、これら脚部の各々には、他の脚部側に突出して形成され、電子部品の放熱用端子に接触して当該放熱用端子を係止する係止部が備えられている。
【００１８】
即ち、放熱部材の脚部を放熱部材取付用孔部の各々に基板の反対面側から挿通させることにより、脚部の係止部を放熱用端子に係止させて当該放熱部材を簡便に取り付けることができる。このとき、放熱部材の主放熱部は、基板の電子部品が実装される一面と反対となる反対面側に設けられることとなるので、当該基板の実装面に対する電子部品の実装効率を低下させることがなくなり、さらに、主放熱部は電子部品の実装が行われない基板の反対面側にて電子部品の実装効率低下等を考慮することなく十分に広い面積を確保することができる。従って、基板の実装面側に突出される脚部の長さを電子部品からの発熱の放熱用に長くする必要がなく、放熱用端子の係止に必要な長さとすることができる。
【００１９】
このように、基板に対する電子部品の実装効率を低下させることなく、放熱部材をその高さ制限を緩和させて簡便に取り付けることができる。
【００２０】
請求項３に記載の発明によれば、請求項２に記載の発明と同様の効果が得られるのは無論のこと、特に、係止部は、脚部に一体となって成形されているので、係止部を脚部とともに簡便に形成することができる。
【００２１】
請求項４に記載の発明によれば、基板の一面に実装される電子部品の放熱構造を備える電子機器であって、基板には、電子部品の放熱用端子よりも外側に放熱部材を取り付けるための少なくとも二つの放熱部材取付用孔部が備えられ、放熱部材は、放熱部材取付用孔部の各々に基板の電子部品が実装される一面と反対となる反対面側から少なくとも二つの脚部が挿通され、これら脚部の各々には、他の脚部側に突出して形成され、電子部品の放熱用端子に接触して当該放熱用端子を係止する係止部が備えられている。
【００２２】
即ち、放熱部材の脚部を放熱部材取付用孔部の各々に基板の反対面側から挿通させることにより、脚部の係止部を放熱用端子に係止させて当該放熱部材を簡便に取り付けることができる。このとき、放熱部材の主放熱部は、基板の電子部品が実装される一面と反対となる反対面側に設けられることとなるので、当該基板の実装面に対する電子部品の実装効率を低下させることがなくなり、さらに、主放熱部は電子部品の実装が行われない基板の反対面側にて電子部品の実装効率低下等を考慮することなく十分に広い面積を確保することができる。従って、基板の実装面側に突出される脚部の長さを電子部品からの発熱の放熱用に長くする必要がなく、放熱用端子の係止に必要な長さとすることができる。これにより、当該放熱部材が取り付けられた基板を電子機器内にてその他の構成部に対してより近づけて配設することができることとなって、電子機器のコンパクト化に寄与することができる。
【００２３】
このように、基板に対する電子部品の実装効率を低下させることなく、放熱部材をその高さ制限を緩和させて簡便に取り付けることができる。
【発明を実施するための最良の形態】
【００２４】
以下に、本発明について、図面を用いて具体的な態様を説明する。ただし、発明の範囲は、図示例に限定されない。
【００２５】
図１は、本発明を適用した電子機器の好適な一実施形態として例示するビデオ一体型テレビジョン受信機を説明するための模式図である。
【００２６】
なお、以下の説明では、視聴者（図示略）側からビデオ一体型テレビジョン受信機に向かう方向を前後方向Ｘとして、表示画面側を前面側とし、表示画面と反対側を後面側とする。また、前後方向Ｘに直交する方向を上下方向Ｚとする。
【００２７】
図１に示すように、本実施形態のビデオ一体型テレビジョン受信機１００は、筐体１内の下部に所定の電子部品２を実装した基板３が設けられ、この基板３の上部にビデオテープＭに記録された画像や音声等の各種情報を再生する再生装置４が設けられ、再生装置４の上方に当該再生装置４にて読み出された各種情報等を出力するテレビジョン受信装置５が配設されている。
【００２８】
テレビジョン受信装置５は、表示画面５１と反対側の端部に電子ビームを発射する電子銃５２を備える陰極線管５３と、この陰極線管５３の電子銃５２よりも前面側の部分（ネック側）の周囲を取り囲むように配設された偏向ヨーク５４等を備えて構成されている。
【００２９】
なお、テレビジョン受信装置５は、図示しないスピーカ等を備えており、再生装置４にて再生される音声等を出力可能となっている。
【００３０】
再生装置４は、内部に磁気ヘッド４１が配設されたケース体４２を備え、その前面側に当該ケース体４２の内側にビデオテープＭを挿入するための挿入部４３が設けられている。そして、挿入部４３を介して挿入されたビデオテープＭは、ケース体４２内に収容されるようになっており、この状態でビデオテープＭの磁気テープに磁気ヘッド４１が接触するようになっている。なお、挿入部４３は、筐体１の所定位置に開口した挿入口１１と高さを略等しくなるようにして配設されている。
【００３１】
磁気ヘッド４１は、図示しないテープ搬送機構による磁気テープの搬送中に、当該磁気テープに記録された各種情報の読み出し並びに磁気テープに対する各種情報の書き込みを行うためのものである。
【００３２】
基板３には、その上面（一面）に実装された、例えば駆動用モータのドライバを構成するＩＣ等の電子部品２から発せられる熱を放熱する放熱部材６が取り付けられており、これにより、電子部品の放熱構造７０が構成されている。
【００３３】
以下に、電子部品の放熱構造７０について図２〜図４を参照して詳細に説明する。
【００３４】
ここで、図２は、図１の領域IIの部分を示した拡大断面図である。また、図３は、電子
部品の放熱構造７０を構成する基板３を示す平面図であり、図４は、電子部品の放熱構造７０を構成する放熱部材６を示す斜視図である。
【００３５】
なお、図３及び図４において、前後方向Ｘ及び上下方向Ｚに直交する方向を左右方向Ｙとする。
【００３６】
電子部品２は、例えば、図２及び図３に示すように、基板３の所定位置に実装されており、具体的には、外形が略直方体状の電子部品本体２１と、この電子部品本体２１の長手方向に沿った側端面部から側方に延設され、基板３の上面に形成された回路パターン（図示略）と接続される複数の接続用端子２２、…と、所定数の接続用端子２２に挟まれるように、電子部品本体２１の側端面部の略中央部から側方に延設された二つの放熱用端子２３とを備えている。
【００３７】
放熱用端子２３は、当該電子部品２が基板３に取り付けられた状態で、後述する放熱部材取付用孔部３１の縁部分まで延設される程度の長さを有している。
【００３８】
基板３は、実装される電子部品２の二つの放熱用端子２３よりも外側にて当該基板３を表裏（上下方向Ｚ）に貫通して形成され、放熱部材６を取り付けるための二つの放熱部材取付用孔部３１、３１を備えている。
【００３９】
放熱部材取付用孔部３１は、例えば、平面視にて略矩形状を有し、その長手方向が電子部品本体２１の長手方向と略平行となるように配設されており、当該放熱部材取付用孔部３１の長手方向（左右方向Ｙ）の長さが放熱用端子２３の幅方向の長さと略等しくなっている。また、放熱部材取付用孔部３１の前後方向Ｘの長さは、放熱部材６の後述する係止部６２ａの突出長よりもわずかに長くなっている。
【００４０】
放熱部材６は、例えば、図２及び図４に示すように、基板３に対して略平行に設けられる主放熱面６１ａ及び当該主放熱面６１ａの前後方向Ｘ側の両端部から上下方向Ｚに延設された二つの起立面６１ｂ、６１ｂを有し、断面略コ字状に形成された主放熱面部６１（主放熱部）と、起立面６１ｂの左右方向Ｙに沿った縁部分の略中央部からそれぞれ上下方向Ｚに延設された二つの脚部６２、６２とを備えている。
【００４１】
主放熱面６１ａの前後方向Ｘの幅、即ち、二つの起立面６１ｂ、６１ｂ間の距離は、二つの放熱部材取付用孔部３１、３１間の距離と略等しいか、若しくはわずかに長くなっている。
【００４２】
脚部６２は、基板３の下面（電子部品２が実装される一面と反対となる反対面）側から放熱部材取付用孔部３１に挿通されるものであり、当該脚部６２の左右方向Ｙの長さが放熱部材取付用孔部３１の左右方向Ｙの長さよりも短くなっている。
【００４３】
また、脚部６２は、その延在方向の中途部が他の脚部６２側に湾曲して所定の長さ突出されることにより、放熱部材取付用孔部３１に挿通されて放熱用端子２３を係止するための係止部６２ａが一体成形されている。即ち、脚部６２には、係止部６２ａが互いに向き合うように形成され、これら係止部６２ａの突出先端部間の距離は、二つの放熱部材取付用孔部３１間の距離よりも短くなっている。
【００４４】
なお、脚部６２の起立面６１ｂ側の端部から係止部６２ａまでの長さは、基板３の厚さと略等しいか、若しくはわずかに長くなっている。
【００４５】
これにより、互いの脚部６２をわずかに拡げながら放熱部材取付用孔部３１に挿通させていくことにより当該放熱部材取付用孔部３１内に係止部６２ａを挿通可能となる。そして、脚部６２がさらに押し込まれて係止部６２ａが放熱部材取付用孔部３１内から抜け出て基板３の上面側に配されると、係止部６２ａは元の状態に戻るように互いに近づくことによって、放熱部材取付用孔部３１の縁部分まで延設された電子部品２の放熱用端子２３の上面側に接触して当該放熱用端子２３を係止した状態となる。
【００４６】
このようにして、主放熱面部６１が基板３の電子部品２が実装される上面と反対となる下面（反対面）側に設けられた状態となる。
【００４７】
なお、基板３に放熱部材６が取り付けられた状態で、脚部６２の基板３の上面からの突出長は、例えば、最も高さの高い電子部品２よりもわずかに長く、且つ、当該基板３の上側に配設されている再生装置４の下端部に接触しない程度の長さとなっている。これによって、当該放熱部材６が取り付けられた基板３を再生装置４により近づけて配設しても、再生装置の下端部に当該基板３に実装された各種電子部品２の上端部が接触して傷がついてしまうといったことがなくなる。
【００４８】
また、係止部６２ａと放熱用端子２３の上面側の部分とは、半田Ｂを介して熱伝導自在に接続固定されている。
【００４９】
ここで、係止部６２ａと放熱用端子２３との半田付け工程について説明する。
【００５０】
係止部６２ａと放熱用端子２３との半田付けは、基板３に対する電子部品２の接続用端子２２の半田付け工程と同じ工程で一度に行われるようになっている。
【００５１】
即ち、放熱部材６は、係止部６２ａが設けられたその脚部６２が基板３の下面側から放熱部材取付用孔部３１に挿通されて、係止部６２ａが電子部品２の接続用端子２２が設けられた上面側に配された状態となっている。さらに、このとき、脚部６２の左右方向Ｙの長さが主放熱面部６１の起立面６１ｂの左右方向Ｙの長さよりも短くなっているので、所定のＤＩＰ半田槽に浸す際に当該基板３を上下逆さまにしても放熱部材取付用孔部３１から放熱部材６が抜け落ちたり、電子部品２が基板３から離れてしまうといったことがなくなる。
【００５２】
これにより、係止部６２ａと放熱用端子２３との半田付けを基板３に対する電子部品２の接続用端子２２の半田付けと同じ工程で一度に行うことができることとなって、従来のように電子部品２の接続用端子２２の半田付けを行った後、例えば手作業等により放熱部材６の半田づけを行う場合に比べて、半田付け工程の回数を減少させることができる。
【００５３】
以上のように、本実施形態のビデオ一体型テレビジョン受信器１００によれば、放熱部材６１の各脚部６２を放熱部材取付用孔部３１の各々に基板３の下面側から挿通させることにより、脚部６２の係止部６２ａを放熱用端子２３に係止させて当該放熱部材６を簡便に取り付けることができる。このとき、放熱部材６の主放熱面部６１は、基板３の電子部品２が実装される上面と反対となる下面側に設けられることとなるので、当該基板３の実装面に対する電子部品２の実装効率を低下させることがなくなり、さらに、主放熱面部６１は電子部品２の実装が行われない基板３の下面側にて電子部品２の実装効率低下等を考慮することなく十分に広い面積を確保することができる。従って、基板３の実装面側に突出される脚部６２の長さを電子部品２からの発熱の放熱用に長くする必要がなく、少なくとも放熱用端子２３の係止に必要な長さを確保しさえすれば良くなる。これにより、放熱部材６が取り付けられた基板３を再生装置４等により近づけて配設することができることとなって、ビデオ一体型テレビジョン受信器１００のコンパクト化に寄与することができる。
【００５４】
また、係止部６２ａは、各脚部６２に一体となって成形されているので、係止部６２ａを脚部６２とともに簡便に形成することができる。
【００５５】
このように、基板３に対する電子部品２の実装効率を低下させることがなくなるとともに、放熱部材６をその高さ制限を緩和させて電子部品２に簡便に接続することができる。
【００５６】
なお、本発明は、上記実施形態に限定されることなく、本発明の趣旨を逸脱しない範囲において、種々の改良並びに設計の変更を行っても良い。
【００５７】
例えば、放熱部材６の脚部６２が主放熱面部６１の両端側から延設されたものを例示したが、脚部６２の延設位置はこれに限られるものではなく、主放熱面部６１の一部であれば如何なる箇所であってもよい。例えば、放熱能力を向上させるために主放熱面部６１の
面積を広くする上で、当該主放熱面６１ａの前後方向Ｘの長さを長くした構成の場合には、主放熱面部６１の前後方向Ｘの端部側よりも内側の部分から脚部６２が延設されるようにしても良い。
【００５８】
また、脚部６２が主放熱面６１ａに対して略垂直に延設されたものを例示したが、これに限られるものではなく、放熱部材取付用孔部３１に挿通することができれば脚部６２の形状は如何なるものであっても良い。
【００５９】
さらに、電子部品の放熱構造７０を構成する放熱部材取付用孔部３１、放熱用端子２３、係止部６２ａをそれぞれ二つ備えるものを例示したが、これらの個数は二つに限られるものではなく、二つ以上であれば放熱部材６の放熱能力を考慮して適宜設定することができる。
【００６０】
また、略水平に配置された基板３の上面に電子部品２を配設して下面側から放熱部材６を取り付けるようにしたが、これに限られるものではなく、基板３の下面に電子部品２を配設して上面側から放熱部材６を取り付けるようにしても良い。なお、基板３は、上記実施形態のような水平状態ではなく、所定の角度に起立した状態で配置されても良い。
【００６１】
さらに、電子部品２として、放熱用端子２３が長手方向に沿った両側端面部の略中央部からそれぞれ側方に延設されたものを例示したが、放熱用端子２３の配置はこれに限られるものではなく、電子部品本体２１を挟むように少なくとも二つ設けられていれば良い。ここで、好ましくは、放熱部材６が係止された状態で重量バランスをとることができるように、放熱用端子２３は電子部品本体２１の重心位置を基準として点対称となるように配設されることが好ましい。
【００６２】
また、上記実施形態では、電子機器としてビデオ一体型テレビジョン受信器を例示したが、これに限られるものではなく、電子部品の放熱構造７０を適用可能な電子機器であれば如何なるものであっても良い。
【図面の簡単な説明】
【００６３】
【図１】本発明を適用した電子機器の好適な一実施形態として例示するビデオ一体型テレビジョン受信機を説明するための模式図である。
【図２】図１の領域IIの部分を示した拡大断面図である。
【図３】図１のビデオ一体型テレビジョン受信機に備わる電子部品の放熱構造を構成する基板を示す平面図である。
【図４】図１のビデオ一体型テレビジョン受信機に備わる電子部品の放熱構造を構成する放熱部材を示す斜視図である。
【符号の説明】
【００６４】
１００  ビデオ一体型テレビジョン受信機（電子機器）
２      電子部品
２３    放熱用端子
３      基板
３１    放熱部材取付用孔部
７０    電子部品の放熱構造
６      放熱部材
６１    主放熱面部（主放熱部）
６２    脚部
６２ａ  係止部
Ｂ      半田
【図１】
2006216638.tif 000003
【図２】
2006216638.tif 000004
【図３】
2006216638.tif 000005
【図４】
2006216638.tif 000006